(57)【要約】【課題】  レーザダイオードの劣化等に対応可能で、レーザダイオードの保護と記録品質の向上を実現可能な光ディスク装置とその制御方法を提供する。【解決手段】  スピンドルモータ２０７により光ディスクを回転駆動しながらレーザダイオードＬＤからのレーザ光をその記録面に照射して情報を記録すると共に、ＬＤからのレーザ光をモニタするフロントモニタダイオードＦＭＤが設けられた光ディスク装置では、制御部２０５は、装置の記録動作時において、ＦＭＤで検出したレーザ光出力を、それ以前に検出したレーザ光出力と比較することにより、特に、高温下での駆動に起因する駆動特性の線形性が崩れるキンク現象を含むレーザダイオードの劣化を検出すると共に、光ディスクの回転速度を低減するように制御することにより、レーザダイオードの保護と記録品質の向上を実現。特に、超薄型の光ディスク装置に好適である。【選択図】      図１
2005078787.tif 000002
【特許請求の範囲】
【請求項１】
光ディスクを回転駆動手段によって回転駆動しながらレーザダイオードからのレーザ光を光ディスクの記録面に照射して情報を記録する光ディスク装置であって、前記レーザダイオードに近接して、前記レーザダイオードから発光されるレーザ光をモニタするためのモニタ手段が設けられた光ディスク装置において、さらに、前記モニタ手段により検出された、装置の記録動作時において前記レーザダイオードから発光されたレーザ光の強度を時系列的に比較することによって前記レーザダイオードの異常状態を検出し、前記異常状態の検出に応じて、前記回転駆動手段による光ディスクの回転速度を制御する制御手段を備えていることを特徴とする光ディスク装置。
【請求項２】
前記請求項１に記載した光ディスク装置において、前記制御手段は、前記レーザダイオードにおける駆動電流又は駆動電圧と発光出力との線形特性を利用して前記レーザダイオードの異常状態を検出することを特徴とする光ディスク装置。
【請求項３】
前記請求項１に記載した光ディスク装置において、前記制御手段は、前記異常状態の検出時には、前記回転駆動手段による光ディスクの回転速度を低減することを特徴とする光ディスク装置。
【請求項４】
前記請求項１に記載した光ディスク装置において、さらに、少なくとも、記録動作時における前記レーザダイオードから発光されたレーザ光の強度を記憶する手段を備えており、かつ、前記制御手段は、前記モニタ手段により検出された現在のレーザ光強度と、前記記憶手段に記憶された以前のレーザ光強度とを比較することによって前記レーザダイオードの異常状態を検出することを特徴とする光ディスク装置。
【請求項５】
前記請求項１に記載した光ディスク装置において、前記制御手段は、更に、前記回転駆動手段による光ディスクの回転速度を検出し、当該回転速度を低減可能か否かを判定して前記回転速度を制御することを特徴とする光ディスク装置。
【請求項６】
前記請求項５に記載した光ディスク装置において、前記制御手段は、前記回転速度を低減することが不可能であると判定した場合には、前記回転駆動手段による光ディスクの回転を停止することを特徴とする光ディスク装置。
【請求項７】
前記請求項１に記載した光ディスク装置において、前記光ディスク装置は、その厚さ寸法が１２．７ｍｍ〜９．５ｍｍの薄型であることを特徴とする光ディスク装置。
【請求項８】
光ディスクを回転駆動手段によって回転駆動しながらレーザダイオードからのレーザ光を光ディスクの記録面に照射して情報を記録すると共に、前記レーザダイオードに近接して、前記レーザダイオードから発光されるレーザ光をモニタするためのモニタ手段が設けられた光ディスク装置の制御方法であって、前記モニタ手段により検出された、装置の記録動作時において前記レーザダイオードから発光されたレーザ光の強度を時系列的に比較することによって前記レーザダイオードの異常状態を検出し、前記異常状態の検出に応じて、前記回転駆動手段による光ディスクの回転速度を制御することを特徴とする光ディスク装置の制御方法。
【請求項９】
前記請求項８に記載した制御方法において、前記レーザダイオードにおける駆動電流又は駆動電圧と発光出力との線形特性を利用して前記レーザダイオードの異常状態を検出することを特徴とする光ディスク装置の制御方法。
【請求項１０】
前記請求項８に記載した制御方法において、前記異常状態の検出時には、前記回転駆動手段による光ディスクの回転速度を低減することを特徴とする光ディスク装置の制御方法。
【請求項１１】
前記請求項８に記載した制御方法において、前記モニタ手段により検出された現在のレーザ光強度と、以前のレーザ光強度とを比較することによって前記レーザダイオードの異常状態を検出することを特徴とする光ディスク装置の制御方法。
【請求項１２】
前記請求項８に記載した制御方法において、前記回転駆動手段による光ディスクの回転速度を検出し、当該回転速度を低減可能か否かを判定して、可能であると判定された場合には回転速度を低減し、他方、不可能であると判定した場合には、前記回転駆動手段による光ディスクの回転を停止することを特徴とする光ディスク装置の制御方法。
【発明の詳細な説明】
【技術分野】
【０００１】
本発明は、半導体レーザダイオードを利用して、例えば、ＣＤ−ＲやＣＤ−ＲＷなどの記録可能型光ディスクに情報を記録する光ディスク装置及びその制御方法に関する。
【背景技術】
【０００２】
従来から、光ディスク装置においては、発光源としてレーザダイオードを用いて、ＣＤ−Ｒ（CD-Recordable）やＣＤ−ＲＷ(CD-ReWritable)、ＤＶＤ−ＲＡＭ（Digital Versatile Disc-Random Access Memory）などの記録可能型光ディスクへの情報の記録が行われている。
【０００３】
また、従来の光ディスク装置では、再生時の線速度（これを、１倍の線速度とする）に対して、例えば、２倍の線速度、４倍の線速度、８倍の線速度…など、より高速な線速度が、記録するための線速度として設定可能であり、この設定された高速の線速度で情報の記録を行うことにより、記録時間の短縮化が図られている。
【０００４】
また、従来、情報記録時の光ディスクの回転速度制御方式には、レーザ光の照射位置、すなわち、記録位置における線速度が一定となるように光ディスクの回転速度を制御するＣＬＶ（定線速度：Constant Linear Velocity）制御方式と、記録時に光ディスクの回転角速度を常に一定とするＣＡＶ（定角速度：Constant Angular Velocity）制御方式と、ＣＬＶ方式とＣＡＶ方式とを適宜切り替える制御方式とがある。例えば、ＣＬＶ制御方式では、記録時の線速度は、設定線速度であり、ＣＡＶ制御方式では、光ディスクの径方向の記録位置における線速度が、設定線速度を越えないように、光ディスクの回転速度が制御され、情報の記録が行われている。
【０００５】
しかしながら、いずれの回転速度制御方式にせよ、情報の記録に要するレーザ出力値は、線速度と共に増大するため、高速な線速度が設定された場合に、レーザ光源であるＬＤ（Laser Diode）の動作が不安定になり、情報記録に失敗する場合があるという問題があった。
【０００６】
そこで、例えば、以下の特許文献１によれば、高速な線速度が設定された場合においても、ＬＤを安定に動作させることが出来、もって、記録可能型光ディスクへの情報記録の失敗を防止することが可能な光ディスク記録装置が、既に提案され、開示されている。
【特許文献１】特開２００２−３２４３１８号公報：図１及び２
【０００７】
また、例えば、レーザプリンタ等、レーザ走査装置に適用される半導体レーザ装置やレーザダイオード出力制御装置であって、半導体レーザで発光されたレーザ光を内部フォトダイオード又は外部フォトダイオードで受光し、その受光出力に基づいてレーザダイオードの発光強度をフィードバック制御するものにおいて、レーザダイオードに供給する電流が過大となることを防止し、もって、レーザダイオードをその劣化から防止するものも、既に、以下の特許文献２及び３により知られている。
【特許文献２】特開２０００−２０６４３５号公報：図２及び３
【特許文献３】特開２００２−１６３１５号公報：図３
【発明の開示】
【発明が解決しようとする課題】
【０００８】
しかしながら、上記の従来技術では、特に、前者の特許文献１に記載された光ディスク記録装置および光ディスク記録装置制御プログラムによれば、レーザダイオードが安定に動作し得る最大出力値を予め記憶しておき、設定された線速度に対応する最適なレーザ出力値を算出し、これを予め記憶された最大出力値と比較し、それ以上である場合には、設定された線速度をその設定値以下に算出・指定する手段を備えたものであり、これでは、情報記録時に光ディスクに光ビームを照射するレーザダイオードの劣化を検出することは出来ず、レーザダイオードの保護や、それに伴う記録品質の劣化に対応することは不可能であった。
【０００９】
他方、上記の従来技術における後者の特許文献２及び３に記載されたレーザ走査装置に適用される半導体レーザ装置やレーザダイオード出力制御装置では、レーザダイオードの出力異常時には、そのレーザダイオードの出力を停止することとなり、これを光ディスク装置に適用した場合には、記録動作を継続することが出来なくなり、そのため、記録品質の劣化につながってしまうという問題点があった。
【００１０】
そこで、本発明では、上述した従来技術における問題点に鑑み、光ディスク装置におけるレーザダイオードの劣化等に対応することが可能であり、もって、レーザダイオードの保護と共に、その記録品質の向上を実現することが可能な光ディスク装置とその制御方法を提供することを目的とする。
【００１１】
すなわち、半導体素子であるレーザダイオードは、一般に、そのレーザ出力強度は、その駆動電流（又は、電圧）に比例して増減する特性を示す。しかしながら、レーザダイオードの劣化、又は、特に、高温の使用環境下では、ある出力以上において駆動電流とレーザ出力との間の線形がくずれてしまう、所謂、キンクと呼ばれる現象が発生する。なお、かかる現象は、特に、薄型化に伴って内部の空気循環が不充分となる、所謂、超薄型の光ディスク装置において著しい。
【００１２】
そこで、本発明では、光ディスク装置におけるレーザダイオードの劣化に対応するため、その記録動作中において、上述したキンクと呼ばれる現象の発生を検出することにより、光ディスク装置のレーザパワー制御や記録速度制御を適切に実行することを可能とし、もって、レーザダイオードを保護すると共に、その記録品質の向上をも実現することが可能な光ディスク装置とその制御方法を提供するものである。
【課題を解決するための手段】
【００１３】
より具体的には、本発明によれば、上記の目的を達成するため、まず、光ディスクを回転駆動手段によって回転駆動しながらレーザダイオードからのレーザ光を光ディスクの記録面に照射して情報を記録する光ディスク装置であって、前記レーザダイオードに近接して、前記レーザダイオードから発光されるレーザ光をモニタするためのモニタ手段が設けられた光ディスク装置において、さらに、前記モニタ手段により検出された、装置の記録動作時において前記レーザダイオードから発光されたレーザ光の強度を時系列的に比較することによって前記レーザダイオードの異常状態を検出し、前記異常状態の検出に応じて、前記回転駆動手段による光ディスクの回転速度を制御する制御手段を備えている光ディスク装置が提供される。
【００１４】
また、本発明によれば、やはり、上記の目的を達成するため、光ディスクを回転駆動手段によって回転駆動しながらレーザダイオードからのレーザ光を光ディスクの記録面に照射して情報を記録すると共に、前記レーザダイオードに近接して、前記レーザダイオードから発光されるレーザ光をモニタするためのモニタ手段が設けられた光ディスク装置の制御方法であって、前記モニタ手段により検出された、装置の記録動作時において前記レーザダイオードから発光されたレーザ光の強度を時系列的に比較することによって前記レーザダイオードの異常状態を検出し、前記異常状態の検出に応じて、前記回転駆動手段による光ディスクの回転速度を制御する光ディスク装置の制御方法が提供される。
【００１５】
加えて、本発明によれば、前記に記載した光ディスク装置又は光ディスク装置の制御方法において、前記制御手段は、前記レーザダイオードにおける駆動電流又は駆動電圧と発光出力との線形特性を利用して前記レーザダイオードの異常状態を検出するものでもよく、又は、前記異常状態の検出時には、前記回転駆動手段による光ディスクの回転速度を低減するものでもよい。
【００１６】
さらに、本発明によれば、前記において、さらに、少なくとも、記録動作時における前記レーザダイオードから発光されたレーザ光の強度を記憶する手段を備えており、かつ、前記制御手段は、前記モニタ手段により検出された現在のレーザ光強度と、前記記憶手段に記憶された以前のレーザ光強度とを比較することによって前記レーザダイオードの異常状態を検出することが好ましく、又は、前記制御手段は、更に、前記回転駆動手段による光ディスクの回転速度を検出し、当該回転速度を低減可能か否かを判定して前記回転速度を制御するものであることが好ましい。そして、本発明によれば、前記制御手段は、可能であると判定された場合には回転速度を低減し、他方、前記回転速度を低減することが不可能であると判定した場合には、前記回転駆動手段による光ディスクの回転を停止するものである。そして、前記光ディスク装置は、その厚さ寸法が１２．７ｍｍ〜９．５ｍｍの薄型である。
【発明の効果】
【００１７】
本発明になる光ディスク装置及び光ディスク装置の制御方法によれば、例えば、その厚さ寸法が１２．７ｍｍ又は９．５ｍｍのような、超薄型の光ディスク装置などにおけるレーザダイオードの劣化等に対応することが可能であり、もって、レーザダイオードの保護と共に、その記録品質の向上を実現することが可能となるという、優れた効果を発揮する。
【発明を実施するための最良の形態】
【００１８】
以下、本発明の実施の形態について、添付の図面を用いて詳細に説明する。
図４は、本発明の一実施の形態になる、光ディスク装置の全体構成を示すブロック図である。図において、書き換え可能な記録媒体である光ディスク１０１には光ピックアップ１０２からレーザビームが照射される。また、光ディスク１０１から反射された反射光は、光ピックアップ１０２のフォトディテクタで検出され、Ｉ−Ｖアンプ１０４でフォトディテクタからの出力を電圧に変換する。なお、本例では、光ピックアップ１０２は、半導体レーザ（レーザダイオード）、対物レンズ等の光学系、フォーカシングアクチュエータ、トラッキングアクチュエータ、フォトディテクタ、及びレンズポジションセンサ等で構成される。
【００１９】
Ｉ−Ｖアンプ１０４の出力はアナログ信号処理回路１０８に入力され、ここでＩ−Ｖアンプ１０４の出力は演算され、フォーカスエラー信号、トラッキングエラー信号、ウォブリング信号を生成し、フォーカシング及びトラッキング処理部１０７に入力され、フォーカスエラー信号、トラッキングエラー信号に基づいて、フォーカシングアクチュエータ、トラッキングアクチュエータの制御を行う。アナログ信号処理回路１０８から得られたＲＦ信号は、イコライザ１１３でＲＦ信号の波形等化が行われ、二値化回路１１７で二値化され、ＰＬＬ回路１１６に入力される。ＰＬＬ回路１１６で二値化信号からチャネルクロックが生成され、デコーダ１１８に入力される。デコーダ１１８ではＰＬＬ回路１１６で作成したチャネルクロックで二値化信号をデコードして、データを復調する。従って、デコーダ１１８の出力端子には再生データが得られる。
【００２０】
図中の符号１０９は、光ディスク１０１の試し書き領域（ＰＣＡ）に試し書きした際に、光ディスク１０１から得られた反射光に相当する二値化されたデータを処理する反射光処理部であり、反射光処理部１０９の出力はＭＰＵ１１９に入力され、ＭＰＵ１１９の出力によってレーザドライバ１０５に設定するパラメータを微調整する。従って、反射光処理部１０９の出力を用いて、ランニングＯＰＣ（ＯＰＣ：Ｏｐｔｉｍｕｍ Ｐｏｗｅｒ Ｃａｌｉｂｒａｔｌｏｎ）を行うことができる。１１２はアシンメトリ処理部であり、アナログ信号処理回路１０８から出力されたＲＦ信号から記録パワー毎のベータ（β）値を作成する。従って、このデータをＭＰＵ１１９に入力することによって、β値を基に最適パワーレベルを決定することができる。なお、ＭＰＵ１１９では、各回路へのクロックや制御信号の供給や割り込み信号の処理、ファームウェア（Ｆ／Ｗ）の制御等を行う。１１４はウォブル処理部であり、アナログ信号処理回路１０８で生成されたウォブル信号からウォブル周期を作成する。このデータはＭＰＵ１１９及びスピンドル制御回路１１１に入力される。ウォブル周期はクロックの生成やスピンドル制御に使用される。また、セクタ内のシンクフレームタイミングもウォブル周期で作成することができる。
【００２１】
記録データは、エンコーダ１１５で８／１６変調され、記録パルス発生器１１０に入力される。記録パルス発生器１１０では、エンコーダ１１５から入力された変調データからＮＲＺＩを生成して、レーザ制御ドライバ１０５に出力される。レーザ制御ドライバ１０５では、入力されたＮＲＺＩ信号を発光波形に変換し、半導体レーザ（レーザダイオード：図示せず）のパワーレベル、発光パルス幅の制御を行う。
【００２２】
スピンドル制御回路１１１は、ウォブル処理部１１４から入力されたウォブル信号及びＭＰＵ１１９の固定周期発生器から入力された信号によって、ドライバ駆動のための周波数を生成する。スピンドル制御ドライバ１０６は、ＣＡＶ制御時にはスピンドル制御回路１１１から入力された倍速に応じた一定周波数を電圧に変換してスピンドルモータ１０３を駆動する。また、ＣＬＶ制御時には、スピンドル制御回路１１１から入力されるウォブル信号周期に基づいて生成された可変周波数を電圧変換してスピンドルモータ１０３に供給する。
【００２３】
デコーダ１１８では、ＰＬＬ回路１１６で作成したチャネルクロックで二値化信号をデコードして、データを復調すると共に、デコーダ１１８は、セクタアドレス毎に、デコード完了報告と共に当該デコードデータに訂正誤りがあるか否かを、ＭＰＵ１１９に報告する。ＭＰＵ１１９は、デコーダ１１８からの報告により、メモリ１２１にセクタアドレス毎に、データの訂正誤りの有無とそれを用いて計算されるエラー発生頻度、リードリトライ回数、及び、予め作製されているエラー発生頻度とリードリトライ回数の関係を表すテーブルを記憶している。
【００２４】
また、デコーダ１１８で復調された正常なデータ及び訂正誤りを含むデータは、アドレス情報付きでメモリコントローラ１２２に入力され、このメモリコントローラ１２２の制御に基づいて、バッファメモリ１２３に入力される。ＭＰＵ１１９はメモリコントローラ１２２に対して破棄命令を入力することによって、バッファメモリ１２３に記憶されている訂正誤りを含むデータを破棄することができる。従って、バッファメモリ１２３には、正常なデータ、リードリトライによって得られ、訂正誤りを含むデータと置換された正常なデータ、及び、リードリトライしても正常なデータが得られず、訂正誤りを含むデータが記憶されている。ＭＰＵｌ１９はバッファメモリ１２３に記憶されたデータの出力方法を選択することができる。ＭＰＵ１１９からメモリコントローラ１２２に発行される命令に基づいて、メモリコントローラ１２２は、バッファメモリ１２３に記憶されたデータをホストインターフェース回路１２４、オーディオＤＡＣ１２５に入力する。この結果、ホストインターフェース回路１２４より、デジタルデータ信号が、オーディオＤＡＣ１２５より、アナログオーディオ信号が出力される。
【００２５】
次に、添付の図１には、上記にその全体構成を説明した光ディスク装置のうち、本発明に関連する部分だけを、特に、その光ピックアップ１０２を中心にして示している。すなわち、ピックアップ内には、光ディスクへの記録再生を行なうレーザ光を出力する半導体素子である、所謂、レーザダイオードＬＤと共に、これに隣接して配置され、このレーザダイオードの出力（光強度）を検出するための検出素子である、所謂、フロントモニタダイオードＦＭＤが設けられている。
【００２６】
このフロントモニタダイオードＦＭＤによって検出された検出信号は、図示のように、比較器２０１の負の入力端子に入力され、所定の電圧設定値と比較され、レーザドライバ２０２を介してレーザダイオードＬＤへの駆動電圧（又は電流）をフィードバック制御する。同時に、このフロントモニタダイオードＦＭＤからの検出信号は、上記比較器２０１の出力と共にＡ／Ｄ変換器２０３へ入力され、デジタル信号に変換される。これにより、光ディスクへの記録時におけるレーザドライバ２０２の駆動電圧と共に、フロントモニタダイオードＦＭＤへの戻り光レベル（すなわち、レーザダイオードＬＤからの実際の光出力強度）とがモニタされることとなる。なお、後にも説明するが、このＡ／Ｄ変換器２０３は、これら上記にて取得後にデジタル変換されたレーザダイオードＬＤへの駆動電圧（又は電流）値とフロントモニタダイオードＦＭＤの電圧（検出信号）値を、キャッシュメモリ２０４内に記憶しておく。
【００２７】
一方、制御部２０５は、上記Ａ／Ｄ変換器２０３からのレーザダイオードＬＤの駆動電圧とフロントモニタダイオードＦＭＤの電圧とを、上記キャッシュメモリ２０４内に記憶した前回のＬＤ駆動電圧とＦＭＤ電圧と比較し、これにより、レーザダイオードの劣化、特に、駆動電流とレーザ出力との間の線形がくずれてしまう、所謂、キンクと呼ばれる現象が発生しているか否かを判定する。その結果、制御部２０５は、キンクと呼ばれる現象が発生していると判定された場合には、上記レーザドライバ２０２を介してレーザダイオードＬＤをより安全に駆動可能なパワー領域で駆動するようにその駆動電圧を変更（低減）すると共に、メモリ２０６内に予め記憶されている記録可能な速度情報と現在の記録速度とを比較し、駆動電圧の変更（低減）に伴って変更（低下）されたレーザダイオードＬＤの出力パワー（低パワー）でも記録可能な最適な回転速度を判定し、それに対応する回転速度制御信号をスピンドルモータ２０７へ出力する。
【００２８】
以上に概略を説明した上記図１に示した回路における制御動作の詳細を、添付の図２のフローチャートを参照しながら、以下により詳細に説明する。なお、このフローチャートにより示した処理は、図３に示したＭＰＵ１１９により、例えば、１秒程度のサイクルにより繰り返して実行されるものである。
【００２９】
図２に示す処理において、まず、光ディスク装置が記録動作中であることを確認する（ステップＳ２１）。すなわち、この処理は、上述したように装置が光ディスクへ記録している場合に生じる課題に対処するためであることによる。その後、上記Ａ／Ｄ変換器２０３からの出力により、フロントモニタダイオードＦＭＤの電圧（ＦＭＤ電圧）と、レーザダイオードＬＤの駆動電圧（レーザ駆動電圧）との２つの値を検出する（ステップＳ２２）。
【００３０】
次に、上記で検出した２つの現在取得値と、先に検出された２つの前取得値とを比較する。すなわち、現在検出されたＦＭＤ電圧とレーザ駆動電圧の値を、上記図１のキャッシュメモリ２０４内に記憶された前回のＦＭＤ電圧とレーザ駆動電圧の値に対して比較する（ステップＳ２３）。なお、この時、例えば、この処理が最初に実行された場合のように、ＦＭＤ電圧とレーザ駆動電圧についての前取得値がない場合には、「異常無し」と判定して、その現取得値を上記キャッシュメモリ２０４内に保存する（ステップＳ２４）。その後、光ディスク装置が記録動作を継続していることを確認し（ステップＳ２５）、再び、上記のステップＳ２１へ戻る。
【００３１】
ここで、上記ステップＳ２３における「異常」の有り、無しの判定について説明する。通常、レーザダイオードは、添付の図３に実線Ａで示すように、設定される駆動領域内においては、レーザ駆動電圧（又は電流）に比例してその光出力を増加する、所謂、線形の出力特性を示す。
【００３２】
しかしながら、レーザダイオードの劣化や高温下での使用等の原因により、図４に破線ＢやＣによって示すように、このレーザ駆動電圧（又は電流）と光出力との線形が崩れてしまうキンクと呼ばれる現象が発生する（破線Ｂ）。すなわち、上記にも述べたように、レーザダイオードＬＤの駆動電圧とフロントモニタダイオードＦＭＤの電圧とをモニタした場合、例えば、レーザ駆動電圧が増加しているにもかかわらず、ＦＭＤ電圧が減少するような場合がある。なお、かかる現象は、特に、その厚さ寸法が１２．７ｍｍ又は９．５ｍｍのような、超薄型の光ディスク装置において著しく、その原因としては、装置の薄型化に共なって装置内部での空気の流れが制限されることから、特に、発熱源でもあるレーザダイオードの周辺が高温になり易いことによると推測される。
【００３３】
本実施例では、かかる現象が生じた場合に、レーザダイオードに「異常」があるものと判定し、その駆動領域、特に、高出力領域の上限を下げてやることにより、レーザダイオードを保護しようとするものである。また、それと同時に、レーザダイオードからの光出力の低下に伴って、記録動作中の光ディスクの回転速度（記録速度）をも低減することにより、レーザダイオードが低パワーでも光ディスクへの記録動作を確実に実行可能にすることにより、記録品質を向上されるものである。
【００３４】
そこで、より詳細には、上記のステップＳ２３において、現在検出されたＦＭＤ電圧とレーザ駆動電圧の値を、前回のＦＭＤ電圧とレーザ駆動電圧の値に対して比較することにより、記録動作中のレーザダイオードに、レーザ駆動電圧と光出力の線形が崩れるキンク現象や、高温下での使用による出力特性の劣化が生じていないかを判定する。
【００３５】
なお、上記のステップＳ２３において判定する際、例えば、以下の式によって、レーザ駆動電圧Ｖｄｒの変化と光出力Ｐｏｕｔの変化との比Ｒを算出し、この比が所定の範囲内に収まっているか否かによって「異常」の有無を判定することも出来る。
Ｒ＝（Ｐｎ−Ｐｎ−１）／（Ｖｎ−Ｖｎ−１）…（式１）
Ｒｌｏｗ ≦ Ｒ ≦ Ｒｕｐ                    …（式２）
【００３６】
ここで、Ｒｌｏｗは上記所定の範囲の下限値を、そして、Ｒｕｐはその上限値を示す。しかしながら、本実施例では、上記の方法に限定されることなく、例えば、現在の検出値と前回の検出値だけではなく、更に以前に検出した値を記憶しておき、これとの比較によって、上述したキンク現象や、高温下での使用による出力特性の劣化を検出してもよい。または、レーザ駆動電圧Ｖｄｒが変化していない場合には、単に、光出力Ｐｏｕｔの変化だけを以前の値と比較し、その変化が所定の範囲内であるか否かを判定することによって「異常」の有無を判定することも可能である。更には、その際、装置内（特に、ピックアップ内部）の温度を検出し、この検出温度によって上記所定の範囲の上下限値、又は、上記の範囲を可変するようにすることも可能である。
【００３７】
そして、上記ステップＳ２３において「異常有り」と判定された場合には、その時の記録速度を判定する（Ｓ２６）。これにより、メモリ内に記憶されている記録可能な速度（例えば、ドライブ内のＦ／Ｗにて定義）と現在設定されている記録速度とを比較し、記録速度の減速が可能であるか否かを判定する。より具体的には、現在設定されている速度が、記録可能な速度のうちで最も低い記録速度と一致している場合には、これ以上の記録速度の減速は不可能であることから、「減速不可能」と判定し、他方、それ以外の場合には「減速可能」と判定することとなる。
【００３８】
その後、上記のステップＳ２６において「減速不可能」と判定された場合には、上記制御部から出力されるイネーブル信号をＯＦＦに設定することによりレーザダイオードを消灯し、記録動作を中止し（Ｓ２７）、その処理を終了する。なお、ここで、イネーブル信号とは、上記レーザドライバへの入力の有効／無効を選択するための信号である。つまり、レーザドライバからレーザダイオードのレーザ発光のための電圧が設定されていても、このイネーブル信号をＯＦＦに設定することにより無効化することにより、レーザダイオードは発光しないこととなる。
【００３９】
他方、上記のステップＳ２６において「減速可能」と判定された場合には、制御部はスピンドルモータを制御して、記録速度をより一段低い速度へ減速し（Ｓ２８）、その後、再び上記ステップＳ２２へ戻る。これにより、レーザドライバでは、記録速度が減速されたことから、その光出力を低減することが可能となる。すなわち、上記のキンク現象や出力特性の劣化が生じない領域における駆動電圧によって、レーザダイオードを安全に発光させると共に、高品質の記録動作が可能となる。
【００４０】
また、上記では、記録速度の減速を、一段低い速度へ減速するものとして説明したが、しかしながら、本発明はそれのみに限定されることなく、例えば、ＣＬＶ方式とＣＡＶ方式とを、適宜、切り替える制御方式の場合には、ＣＡＶ（定角速度）からＣＬＶ（定線速度）制御に切り換えるなどの記録速度の減速を行なってもよいことは言うまでもない。
【図面の簡単な説明】
【００４１】
【図１】本発明になる光ディスク装置の構成のうち、その特徴となる光ピックアップを中心に示す図である。
【図２】上記本発明になる光ディスク装置の制御動作を示すフローチャート図である。
【図３】上記本発明になる光ディスク装置における「異常」を説明するため、レーザダイオードの出力特性の一例を示す図である。
【図４】本発明の一実施の形態になる光ディスク装置の全体構成を示すブロック図である。
【符号の説明】
【００４２】
ＬＤ…レーザダイオード
ＦＭＤ…フロントモニタダイオード
１０２…光ピックアップ
２０７（１０５）…スピンドルモータ
２０１…比較器
２０２…レーザドライバ
２０３…Ａ／Ｄ変換器
２０４…キャッシュメモリ
２０５…制御部
２０６…メモリ
【図１】
2005078787.tif 000003
【図２】
2005078787.tif 000004
【図３】
2005078787.tif 000005
【図４】
2005078787.tif 000006